(57)【特許請求の範囲】
【請求項１】
装填されたディスクの種類を自動判定する判定手段と、トレイ上に載置されたディスクの装置本体内への引き込み動作及び装置本体内からの引き出し動作を行わせるイジェクトスイッチとを備えた複数種類のディスクの記録及び／または再生が可能な情報処理装置において、
前記イジェクトスイッチの操作による前記ディスクの引き込み動作時に、前記イジェクトスイッチを１回押すと自動判定モード、２回連続して押すとＣＤ優先モード、３回連続して押すとＤＶＤ優先モードを指示する指示信号を前記判定手段に入力する入力手段と、
前記指示信号に基づいて指示されたモードの種類を表示する表示手段とを備え、
前記判定手段は、前記イジェクトスイッチの操作による前記ディスクの引き込み動作の開始時点でディスク判定処理を開始し、入力された２回連続押しまたは３回連続押しの指示信号に従って指示されたモードで優先的にディスク判定を行うとともに、判定の結果が指定と異なる場合には前記１回押しの場合と同様の自動判定モードを行うように構成されており、前記ＣＤ優先モードでは、ＣＤが装填されたものとして再生処理を実行することでディスク種類を判定し、前記ＤＶＤ優先モードでは、ＤＶＤが装填されたものとして再生処理を実行することでディスク種類を判定することを特徴とする情報処理装置。
【請求項２】
装填されたディスクの種類を自動判定する判定手段と、トレイ上に載置されたディスクの装置本体内への引き込み動作及び装置本体内からの引き出し動作を行わせるイジェクトスイッチとを備えた複数種類のディスクの記録及び／または再生が可能な情報処理装置において、
前記イジェクトスイッチの操作による前記ディスクの引き込み動作時に、前記イジェクトスイッチの連続押しの回数によって、ＣＤ優先モード、ＤＶＤ優先モード、自動判定モードの３種類のモードのいずれかのモードを指示する指示信号を前記判定手段に入力する入力手段と、
前記指示信号に基づいて指示されたモードの種類を表示する表示手段とを備え、
前記判定手段は、前記イジェクトスイッチの操作による前記ディスクの引き込み動作の開始時点でディスク判定処理を開始し、入力された指示信号がＣＤ優先モードである場合には、ＣＤが装填されたものとして再生処理を実行することでディスク種類を判定し、入力された指示信号がＤＶＤ優先モードである場合には、ＤＶＤが装填されたものとして再生処理を実行することでディスク種類を判定するとともに、判定の結果が指定と異なる場合には前記自動判定モードを行うことを特徴とする情報処理装置。
【発明の詳細な説明】
【０００１】
【発明の属する技術分野】
本発明は、複数種類のディスクの記録及び／または再生が可能な情報処理装置に係り、より詳細には、ディスク判定の処理時間の短縮を図った情報処理装置に関する。
【０００２】
【従来の技術】
複数種類のディスクの記録及び／または再生が可能な従来の情報処理装置では、装填されたディスクを自動判定するための判定手段を備えている。
【０００３】
図６は、従来の判定手段によるディスク判定処理の流れを示している。
すなわち、ディスクが装置本体内に装填されると、判定手段では、まず、装填されたディスクがＣＤであるか否かを判定する（ステップＳ４１）。その結果、装填されたディスクがＣＤである場合（ステップＳ４１でＹｅｓと判定された場合）には、ドライブ側にＣＤが装填されているという情報を保存し（ステップＳ４２）、コマンド待ち状態となる（ステップＳ４５）。
【０００４】
一方、判定の結果、装填されたディスクがＣＤでない場合（ステップＳ４１でＮｏと判定された場合）には、次に、装填されたディスクがＤＶＤであるか否かを判定する（ステップＳ４３）。その結果、装填されたディスクがＤＶＤである場合（ステップＳ４３でＹｅｓと判断された場合）には、ドライブ側にＤＶＤが装填されているという情報を保存し（ステップＳ４４）、コマンド待ち状態となる（ステップＳ４５）。
【０００５】
一方、判定の結果、装填されたディスクがＤＶＤでない場合（ステップＳ４３でＮｏと判定された場合）には、ディスク判定不能としてエラー処理を行う（ステップＳ４６）。
【０００６】
このように、従来のディスク判定処理では、予め決められた順番にディスクの判定を行っている。そのため、装填されたディスクがＤＶＤである場合には、ステップＳ４１での判定処理が無駄な時間となり、ＤＶＤ再生までにかなりの待ち時間が生じてしまうといった問題があった。このことは、判定処理の流れが最初にＤＶＤの判定、次にＣＤの判定となっている場合に、ＣＤを装填したときも同様である。このように、従来のディスク判定処理では、ディスクの判定順序が予め決められていることが問題となる。
【０００７】
一方、このような不具合を解消する１つの方法として、ＣＤピックアップユニット及びＣＤ用信号処理回路と、ＤＶＤピックアップユニット及びＤＶＤ用信号処理回路とを２組搭載し、ＣＤ用信号処理回路とＤＶＤ用信号処理回路とを切り換える回路切換用スイッチをドロワー（トレイ）のディスク載置面の隅に設けた構成の光学ピックアップ装置が提案されている（例えば、特許文献１参照）。
【０００８】
この光学ピックアップ装置によれば、ドロワーにＣＤを載置するときには、ドロワーを装置本体から引き出した状態で回路切換用スイッチをＣＤ側に切り換えることで、ＣＤの再生モードに移行し、ドロワーにＤＶＤを載置するときには、ドロワーを装置本体から引き出した状態で回路切換用スイッチをＤＶＤ側に切り換えることで、ＤＶＤの再生モードに移行するため、ディスク判定処理を省いてその後の再生動作を早く行わせることが可能となっている。
【０００９】
【特許文献１】
特開平１０−９１９９２号公報
【００１０】
【発明が解決しようとする課題】
しかし、上記特許公報１の装置では、ＣＤピックアップユニット及びＣＤ用信号処理回路と、ＤＶＤピックアップユニット及びＤＶＤ用信号処理回路の２組の信号処理系を搭載する必要があるため、装置が大型化するとともに、コスト的にも高価なものになってしまうといった問題があった。
【００１１】
また、例えばＣＤを載置しているにも係わらず、回路切換用スイッチを誤ってＤＶＤ側に切り換えてドロワーを装置本体に装填してしまった場合には、そのままでは再生不可能であるため、ユーザは再びドロワーを装置本体から引き出して回路切換用スイッチをＣＤ側に切り換えなければならず、煩わしい操作が必要となっていた。
【００１２】
本発明はかかる問題点を解決すべく創案されたもので、その目的は、装填するディスクの種類をユーザが指示することによって、ディスク判定時間の短縮を図るとともに、ユーザによる指示と装填されたディスクの種類とが異なる場合であっても、自動的にディスク判別を行って再生動作または記録動作を開始させることのできる情報処理装置を提供することにある。
【００１３】
【課題を解決するための手段】
本発明の情報処理装置は、装填されたディスクの種類を自動判定する判定手段と、トレイ上に載置されたディスクの装置本体内への引き込み動作及び装置本体内からの引き出し動作を行わせるイジェクトスイッチとを備えた複数種類のディスクの記録及び／または再生が可能な情報処理装置において、前記イジェクトスイッチの操作による前記ディスクの引き込み動作時に、前記イジェクトスイッチを１回押すと自動判定モード、２回連続して押すとＣＤ優先モード、３回連続して押すとＤＶＤ優先モードを指示する指示信号を前記判定手段に入力する入力手段と、前記指示信号に基づいて指示されたモードの種類を表示する表示手段とを備え、前記判定手段は、前記イジェクトスイッチの操作による前記ディスクの引き込み動作の開始時点でディスク判定処理を開始し、入力された２回連続押しまたは３回連続押しの指示信号に従って指示されたモードで優先的にディスク判定を行うとともに、判定の結果が指定と異なる場合には前記１回押しの場合と同様の自動判定モードを行うように構成されており、前記ＣＤ優先モードでは、ＣＤが装填されたものとして再生処理を実行することでディスク種類を判定し、前記ＤＶＤ優先モードでは、ＤＶＤが装填されたものとして再生処理を実行することでディスク種類を判定することを特徴としている。これにより、ユーザが装填したディスクの種類を誤って指示した場合でも、最終的には自動判定モードを実行するので、装填されたディスクを確実に判定することができる。
【００１７】
【発明の実施の形態】
以下、本発明の実施の形態について、図面を参照して説明する。
【００１８】
図１は、本発明の情報処理装置の一例を示している。本発明の情報処理装置は、再生専用タイプであってもよく、記録再生タイプであってもよいが、本実施形態では、記録再生タイプの情報処理装置のシステム構成を例示している。
【００１９】
光ディスク１にデータを書き込むとともに、書き込んだデータを読み取る光ピックアップ３の出力は、ＲＦアンプ５を介してディジタル信号処理回路７に接続されており、ディジタル信号処理回路７の出力は、光ピックアップ３によるデータの書き込み時及び読み出し時のレーザ出力を制御するレーザドライバ８に接続されている。また、サーボ処理回路９の出力は、光ピックアップ３を光ディスク１の半径方向に移動させるためのフィードモータ４と光ディスク１を回転駆動するスピンドルモータ２とに接続されており、これらディジタル信号処理回路７及びサーボ処理回路９は、装置全体を制御するシステムコントローラ１０と双方向に接続されている。
【００２０】
また、ディジタル信号処理回路７には、光ディスク１から実際に読み取ったデータを一時的に蓄積するバッファとしてのＤＲＡＭ６が双方向に接続されており、システムコントローラ１０には、ディスクのパラメータやレーザパワーのパラメータ等の固有情報を格納しておくためのＥＥＰＲＯＭ１１が双方向に接続されている。また、システムコントローラ１０には、後述するイジェクトスイッチやボリュームスイッチ、及び本実施形態１の特徴である切換スイッチ等の各種機能スイッチの操作信号をシステムコントローラ１０に入力するためのキー入力部１３が接続されている。
【００２１】
さらに、システムコントローラ１０及びディジタル信号処理回路７には、図示しない上位のホストコンピュータ等との接続を行うためのインターフェイスコントローラ（Ｉ／Ｆコントローラ）１２が双方向に接続された構成となっている。なお、図示は省略しているが、システムコントローラ１０には、本発明の特徴であるディスク判定処理を実行するための判定処理プログラムが内部メモリ（ＲＯＭ等）に格納されている。
【００２２】
図２は、上記構成の情報処理装置の外観図を示している。
装置本体２１の前面の操作パネル部２２には、トレイ２３の引き出し口２４が設けられている。また、引く出し口２４の下部には、その左側にボリュームスイッチ２５が設けられており、右側に切換スイッチ２６とイジェクトスイッチ２７とが設けられている。
【００２３】
図３は、切換スイッチ２６の部分を拡大した説明図である。
切換スイッチ２６は、ＣＤ優先モード、ＤＶＤ優先モード、自動判定モードの３種類のモードのいずれかに切り換え可能となっている。同図（ａ）は切換スイッチ２６が自動判定モードに切り換えられている状態を示しており、この自動判定モードでは、従来の処理と同様に、光の反射率などから自動的にＣＤまたはＤＶＤの種類判定を行う。また、同図（ｂ）は切換スイッチ２６がＣＤ優先モードに切り換えられている状態を示しており、このＣＤ優先モードでは、今まで行っていた自動判定処理を飛ばし、ＣＤが挿入されているものとしてＣＤの処理を実行できるようにする。また、同図（ｃ）は切換スイッチ２６がＤＶＤ優先モードに切り換えられている状態を示しており、このＤＶＤ優先モードでは、今まで行っていた自動判定処理を飛ばし、ＤＶＤが挿入されているものとしてＤＶＤの処理を実行できるようにする。ただし、図２（ｂ）に示すＣＤ優先モード及び図２（ｃ）に示すＤＶＤ優先モードをユーザが誤って設定した場合には、ディスクから情報を読み取ることができないので、この場合には再度自動判定モードを実行するようになっている。
【００２４】
次に、上記構成の情報処理装置において、ユーザが光ディスク１を装置本体内に装填するときのディスク判定処理について、図４に示すフローチャートを参照して説明する。
【００２５】
ユーザは、装置本体２１から引き出したトレイ２３に光ディスク１を載置して装置本体１内に装填する前に、切換スイッチ２６を切り換えて、装填した光ディスク１の種類を指示する（ステップＳ１）。システムコントローラ１０は、この指示信号に基づき、装填された光ディスク１の種類を判定する（ステップＳ２）。
【００２６】
その結果、切換スイッチ２６がＣＤ優先モードの位置であり、指示信号がＣＤ優先モードを示している場合には、今まで行っていた自動判定処理を飛ばし、ＣＤが挿入されているという情報を内部に保存する（ステップＳ３）。そして、保存した情報に従って読み出しまたは書き込みが可能か否かを確認し（ステップＳ４）、可能であると判断した場合には、ＣＤの処理を実行できる状態として（ステップＳ５）、コマンド待ちの状態に移行する（ステップＳ１０）。一方、読み出しまたは書き込みが不可能であると判断した場合には、従来通り自動判定処理を実行する（ステップＳ９）。
【００２７】
一方、ステップＳ２での判定の結果、切換スイッチ２６がＤＶＤ優先モードの位置であり、指示信号がＤＶＤ優先モードを示している場合には、今まで行っていた自動判定処理を飛ばし、ＤＶＤが挿入されているという情報を内部に保存する（ステップＳ６）。そして、保存した情報に従って読み出しまたは書き込みが可能か否かを確認し（ステップＳ７）、可能であると判断した場合には、ＤＶＤの処理を実行できる状態として（ステップＳ８）、コマンド待ちの状態に移行する（ステップＳ１０）。一方、読み出しまたは書き込みが不可能であると判断した場合には、従来通り自動判定処理を実行する（ステップＳ９）。
【００２８】
また、ステップＳ２での判断の結果、切換スイッチ２６が自動判定モードの位置であり、指示信号が自動判定モードを示している場合には、従来通り自動判定処理を実行する（ステップＳ１０）。
【００２９】
このように、上記構成の情報処理装置によれば、切換スイッチ２６によってＣＤ優先モードかＤＶＤ優先モードが指定されている場合には、従来の自動判定モードを行わずに、すぐに読み出しまたは書き込みが可能な状態にできるので、ディスク判定の処理時間の短縮を図ることができる。
【００３０】
［実施形態１］
本実施形態１の情報処理装置 は、上記構成の情報処理装置において、装置本体２１の操作パネル部２２から切換スイッチ２６を削除し、その代わりに、イジェクトスイッチ２７を切換スイッチ２６として兼用させる構成としたものである。
【００３１】
具体的には、光ディスク１を載置したトレイ２３の引き込み動作時に、イジェクトスイッチ２７の連続押しの回数によって、ＣＤ優先モード、ＤＶＤ優先モード、自動判定モードの３種類のモードのいずれかのモードを指定するようにしたものである。
【００３２】
例えば、イジェクトスイッチを１回押すと自動判定モード、２回連続して押すとＣＤ優先モード、３回連続して押すとＤＶＤ優先モードをそれぞれ指示する指示信号をシステムコントローラ１０に出力する構成としたものである。
【００３３】
次に、上記構成の情報処理装置において、ユーザが光ディスク１を装置本体内に装填するときのディスク判定処理について、図５に示すフローチャートを参照して説明する。ただし、ここではディスク引き込み動作時にディスク判定処理を行う場合について説明する。
【００３４】
ユーザは、イジェクトスイッチ２７を押して装置本体２１からトレイ２３を引き出す。この場合、システムコントローラ１０は、図示しないトレイ検知センサ等によりトレイ２３の位置を確認することで、イジェクトスイッチ２７の操作がディスク引き出し動作であることを確認すると、この場合にはディスク判定処理を行うことなく、トレイ２３の引き出し動作のみを実行する。この時点で、システムコントローラ１０は、次にイジェクトスイッチ２７が操作されたときには、トレイ２３の引き込み動作であり、ディスク判定処理を実行するモードであることを認識している。また、システムコントローラ１０は、次にイジェクトスイッチ２７が押されたか否かを監視する（ステップＳ２１）。
【００３５】
この後、ユーザが引き出されたトレイ２３に所望の光ディスク１を載置し、トレイ２３を装置本体２１内に引き込むために、イジェクトスイッチ２７を操作すると（ステップＳ２１でＹｅｓと判断されると）、システムコントローラ１０は、そのスイッチ操作がディスク引き込み動作であるか否かを確認する（ステップＳ２２）。この場合には、ディスク引き込み動作であるので、システムコントローラ１０は、トレイ２３の装置本体１内への引き込み動作を行うとともに（ステップＳ２３）、この時点でディスク判定処理プログラムを起動し、ディスク判定処理を開始する（ステップＳ２４）。
【００３６】
すなわち、システムコントローラ１０は、イジェクトスイッチ２７が何回押されたかを確認する（ステップＳ２５〜ステップＳ２７）。その結果、イジェクトスイッチ２７が１回押された場合（ステップＳ２５でＹｅｓと判断された場合）には、通常通り自動判定処理を実行し（ステップＳ２８）、その後、コマンド待ち状態に移行する（ステップＳ２９）。
【００３７】
一方、イジェクトスイッチ２７が連続して２回押された場合（ステップＳ２５でＮｏ、ステップＳ２６でＹｅｓと判断された場合）には、ＣＤ優先モードであると判断し、今まで行っていた自動判定処理を飛ばして、ＣＤが挿入されているという情報を内部に保存する（ステップＳ３０）。そして、保存した情報に従って読み出しまたは書き込みが可能か否かを確認し（ステップＳ３１）、可能であると判断した場合（Ｙｅｓと判断した場合）には、ＣＤの処理を実行できる状態として（ステップＳ３２）、コマンド待ちの状態に移行する（ステップＳ２９）。一方、読み出しまたは書き込みが不可能であると判断した場合（ステップＳ３１でＮｏと判断した場合）には、従来通り自動判定処理を実行する（ステップＳ２８）。
【００３８】
一方、イジェクトスイッチ２７が連続して３回押された場合（ステップＳ２５でＮｏ、ステップＳ２６でＮｏ、ステップＳ２７でＹｅｓと判断された場合）には、ＤＶＤ優先モードであると判断し、今まで行っていた自動判定処理を飛ばして、ＤＶＤが挿入されているという情報を内部に保存する（ステップＳ３３）。そして、保存した情報に従って読み出しまたは書き込みが可能か否かを確認し（ステップＳ３４）、可能であると判断した場合（Ｙｅｓと判断した場合）には、ＤＶＤの処理を実行できる状態として（ステップＳ３５）、コマンド待ちの状態に移行する（ステップＳ２９）。一方、読み出しまたは書き込みが不可能であると判断した場合（ステップＳ３４でＮｏと判断した場合）には、従来通り自動判定処理を実行する（ステップＳ２８）。
【００３９】
なお、ステップＳ２２において、イジェクトスイッチ２７の操作がディスク引き込み動作でない場合には、そのスイッチ操作に応じた他の処理（具体的には、ディスク引き出し動作）を行う（ステップＳ３６）。また、上記処理動作では、ステップＳ２７でイジェクトスイッチ２７が３回以上押されたと判断した場合も、ステップＳ２８の自動判定処理を行う構成としているが、この場合にはエラー処理等を行うようにしてもよい。
【００４０】
このように、本実施形態１の情報処理装置によれば、ディスク引き込み動作時のイジェクトスイッチ２７の押す回数によってＣＤ優先モードかＤＶＤ優先モードが指定されている場合には、従来の自動判定処理を行わずに、すぐに読み出しまたは書き込みが可能な状態にできるので、ディスク判定の処理時間の短縮を図ることができる。
【００４１】
なお、上記実施形態１では、イジェクトスイッチ２７の押す回数によるディスク判定処理を、ディスク引き込み動作時に行っているが、ディスク引き出し動作時に行ってもよい。
【００４２】
また、上記実施形態１では、自動判定モードとＣＤ優先モードとＤＶＤ優先モードとを、単純にイジェクトスイッチ２７の押す回数で区別しているが、これに限定されるものではない。例えば、通常の１回押しを自動判定モードとし、長押し（例えば、１秒以上）１回をＣＤ優先モードとし、長押し２回をＤＶＤ優先モードとしてもよい。この方が、モード指定時にイジェクトスイッチ２７を押す回数が少なくて済む。この他にも、各モードを区別するためのイジェクトスイッチ２７の押し方については、種々工夫することが可能であり、そのようなイジェクトスイッチ２７の押し方によるモード判定は、システムコントローラ１０側でソフト的に処理することが可能である。
【００４３】
さらに、このようなイジェクトスイッチ２７の押し方によってモードを指定した際に、その指定がどのモードであるのかをより明確にするために、操作パネル部２２にＬＥＤ等の表示部を設けておき、例えば自動判定モード時には消灯し、ＣＤ優先モード時には点灯し、ＤＶＤ優先モード時には点滅することで、ユーザに指定したモードを報知するようにしてもよい。
【発明の効果】
本発明の情報処理装置によれば、装置本体の操作パネル部に、装填されるディスクの種類をユーザが指示するための指示手段を備えた構成としたので、装填されるディスクの種類を予め装置に知らせることができるため、従来のディスク判定処理にかかっていた時間を短縮することができる。
【図面の簡単な説明】
【図１】本発明の実施形態１に係わる情報処理装置のシステム構成図である。
【図２】実施形態１に係わる情報処理装置の外観図である。
【図３】切換スイッチの部分を拡大した説明図である。
【図４】実施形態１におけるディスク判定処理動作を示すフローチャートである。
【図５】実施形態２におけるディスク判定処理動作を示すフローチャートである。
【図６】従来の情報処理装置による従来のディスク判定処理動作を示すフローチャートである。
【符号の説明】
１  光ディスク
２  スピンドルモータ
３  光ピックアップ
４  フィードモータ
５  ＲＦアンプ
６  ＤＲＡＭ
７  ディジタル信号処理回路
８  レーザドライバ
９  サーボ処理回路
１０  システムコントローラ
１１  ＥＥＰＲＯＭ
１２  インターフェイスコントローラ（Ｉ／Ｆコントローラ）
１３  キー入力部
２１  装置本体
２２  操作パネル部
２３  トレイ
２５  ボリュームスイッチ
２６  切換スイッチ
２７  イジェクトスイッチ
【図１】
0003714556.tif 000002
【図２】
0003714556.tif 000003
【図３】
0003714556.tif 000004
【図４】
0003714556.tif 000005
【図５】
0003714556.tif 000006
【図６】
0003714556.tif 000007